(57)【要約】  制御空間の快適性を損なわず、消費電力を削減することができる電力制御装置を得ることを目的とし、環境検出器１３＿ｉが設置された制御空間の快適性を向上する電力消費機器１２＿ｉを制御する電力制御装置であって、電力削減要求を受信する通信部１１１と、環境検出器１３＿ｉにより取得された環境情報及び電力消費機器１２＿ｉの消費電力を取得する情報取得部１１２と、電力消費機器１２＿ｉの各々の制御内容、電力消費機器１２＿ｉの各々が属する制御空間の環境情報及び電力消費機器１２＿ｉの各々の制御内容の優先度を記憶する制御ＤＢ１１３と、電力消費機器１２＿ｉの削減電力量の監視及び優先度の再設定を行って電力削減のために行う制御内容を選択する処理部１１４と、処理部１１４が選択した制御内容に従って電力消費機器１２＿ｉを制御する制御部１１５とを備え、電力削減要求に応じて優先度を再設定し、優先度の低い方から順に電力削減を行っていく。
2017149639.tif 000002
【特許請求の範囲】
【請求項１】
環境検出器が設置された制御空間の快適性を向上する電力消費機器を制御する電力制御装置であって、
電力削減要求を受信する通信部と、
前記環境検出器により取得された環境情報及び電力消費機器の消費電力を取得する情報取得部と、
前記電力消費機器の各々の制御内容、前記電力消費機器の各々が属する前記制御空間の環境情報及び前記電力消費機器の各々の制御内容の優先度を記憶する制御データベースと、
前記電力消費機器の削減電力量の監視及び前記優先度の再設定を行って電力削減のために行う制御内容を選択する処理部と、
前記処理部が選択した制御内容に従って前記電力消費機器を制御する制御部とを備え、
前記電力削減要求に応じて前記優先度を再設定し、優先度の低い前記電力消費機器から順に電力削減を行っていくことを特徴とする電力制御装置。
【請求項２】
前記優先度は、前記制御空間の室温と設定温度との差を用いて再設定されることを特徴とする請求項１に記載の電力制御装置。
【請求項３】
前記優先度は、前記制御空間の湿度と設定湿度との差を用いて再設定されることを特徴とする請求項１又は請求項２に記載の電力制御装置。
【請求項４】
前記優先度は、前記制御空間の人の存在の有無を用いて再設定されることを特徴とする請求項１から請求項３のいずれか一項に記載の電力制御装置。
【請求項５】
前記制御内容は、前記電力消費機器の消費電力を削減する制御であり、前記電力消費機器の各々に複数設定されることを特徴とする請求項１から請求項４のいずれか一項に記載の電力制御装置。
【請求項６】
前記制御部は、
再設定された前記優先度が最も低い制御内容から順に実行し、
前記電力削減要求の目標削減量に到達するまで前記電力消費機器の電力削減を順に繰り返し、前記目標削減量に到達すると、処理を終了することを特徴とする請求項１から請求項５のいずれか一項に記載の電力制御装置。
【発明の詳細な説明】
【技術分野】
【０００１】
本発明は、電力供給側からの電力制御要求を満たすように制御空間内の機器の電力使用量を抑制する電力制御装置に関する。
【背景技術】
【０００２】
従来、電力需要が逼迫する時間帯に、電力供給側が電力需要側に対して消費電力削減を要求する電力制御要求であるＤＲ（Ｄｅｍａｎｄ  Ｒｅｓｐｏｎｓｅ）を送信し、このＤＲに応じて制御空間内の機器の消費電力を削減するシステムが知られている。【０００３】
従来技術である特許文献１には、ＤＲを受信する通信部と、電力需要側の機器制御ルールを格納するルールデータベースと、制御ルールの順位を記憶するルール順位データベースとを備えるＤＲ対応策提案装置が、ＤＲサーバから消費電力削減要求を受信すると、順位の高い制御ルールから優先的に実行し、需要側の好みに合わせて消費電力の削減を行う技術が開示されている。
【先行技術文献】
【特許文献】
【０００４】
【特許文献１】特開２０１３−３１３５５号公報
【発明の概要】
【発明が解決しようとする課題】
【０００５】
しかしながら、上記従来技術によれば、各制御ルールの選択されやすさのデータに基づいて制御ルールの順位が決定されるが、各制御ルールの選択されやすさは、機器の利用状況により大きく変化するものである。そのため、蓄積されたデータに基づいて優先順位を決定すると、制御空間の快適性を損なうおそれがある、という問題があった。【０００６】
本発明は、上記に鑑みてなされたものであって、電力消費機器が稼働している制御空間の快適性を損なうことなく、電力消費機器の消費電力を削減することができる電力制御装置を得ることを目的とする。
【課題を解決するための手段】
【０００７】
上述した課題を解決し、目的を達成するために、本発明に係る電力制御装置は、環境検出器が設置された制御空間の快適性を向上する電力消費機器を制御する電力制御装置であって、電力削減要求を受信する通信部と、前記環境検出器により取得された環境情報及び電力消費機器の消費電力を取得する情報取得部と、前記電力消費機器の各々の制御内容、前記電力消費機器の各々が属する前記制御空間の環境情報及び前記電力消費機器の各々の制御内容の優先度を記憶する制御データベースと、前記電力消費機器の削減電力量の監視及び前記優先度の再設定を行って電力削減のために行う制御内容を選択する処理部と、前記処理部が選択した制御内容に従って前記電力消費機器を制御する制御部とを備え、前記電力削減要求に応じて前記優先度を再設定し、優先度の低い前記電力消費機器から順に電力削減を行っていくことを特徴とする。
【発明の効果】
【０００８】
本発明に係る電力制御装置は、電力消費機器が稼働している制御空間の快適性を損なうことなく、電力消費機器の消費電力を削減することができるという効果を奏する。
【図面の簡単な説明】
【０００９】
【図１】実施の形態１に係る電力制御装置を含む電力制御システムの一構成例を示す図
【図２】実施の形態１における電力制御システムが適用された空間を示す図
【図３】実施の形態１における制御ＤＢの情報の一例である第１のテーブルを示す図
【図４】実施の形態１における制御ＤＢの情報の一例である第２のテーブル及び第３のテーブルを示す図
【図５】実施の形態１における制御ＤＢの情報の一例である第４のテーブルを示す図
【図６】実施の形態２における電力制御システムが適用された空間を示す図
【図７】実施の形態２における制御ＤＢの情報の一例である第５のテーブルを示す図
【図８】実施の形態２における制御ＤＢの情報の一例である第６のテーブルを示す図
【図９】実施の形態３における制御ＤＢの情報の一例である第７のテーブルを示す図
【図１０】実施の形態３における制御ＤＢの情報の一例である第８のテーブルを示す図
【発明を実施するための形態】
【００１０】
以下に、本発明の実施の形態に係る電力制御装置を図面に基づいて詳細に説明する。なお、この実施の形態によりこの発明が限定されるものではない。
【００１１】
実施の形態１．
図１は、本発明の実施の形態１に係る電力制御装置１１を含む電力制御システムの一構成例を示す図である。図１に示す電力制御システムは、ＤＲサーバ１０と、電力制御装置１１と、電力消費機器１２＿ｉと、環境検出器１３＿ｉとを備える。なお、ここで、ｉは１からｎまでの自然数である。
【００１２】
ＤＲサーバ１０は、電力供給側に設置されて運用され、電力需要側に設置された電力制御装置１１に電力削減要求であるＤＲを送信するサーバである。なお、電力供給側は、電力を供給する事業者であり、代表的には電力会社である。また、電力需要側は、電力を消費する者であり、戸建住宅、集合住宅の各世帯及び店舗を例示することができる。
【００１３】
電力制御装置１１は、通信部１１１と、情報取得部１１２と、制御ＤＢ（ＤａｔａＢａｓｅ）１１３と、処理部１１４と、制御部１１５と、表示操作部１１６とを備える。通信部１１１は、ＤＲサーバ１０と通信可能な構成であり、ＤＲサーバ１０からＤＲを受信する。情報取得部１１２は、環境検出器１３＿ｉから環境情報を取得し、電力消費機器１２＿ｉから消費電力情報を取得する。制御ＤＢ１１３は、電力消費機器１２＿ｉの制御内容と、環境検出器１３＿ｉが属する制御空間の環境情報及び制御内容の優先度とを記憶する。処理部１１４は、削減電力量の監視及び制御内容の優先度の再設定を行う。制御部１１５は、電力消費機器１２＿ｉを制御する。表示操作部１１６は、制御内容及び優先度を表示し、制御内容及び優先度を変更する操作が可能な構成であり、タッチパネルにより実現することができる。ただし、これに限定されず、表示部と操作部とが別個に設けられていてもよい。なお、本明細書において、優先度の数値が小さい場合には優先度が低く、優先度の数値が大きい場合には優先度が高いものとする。
【００１４】
電力消費機器１２＿ｉは、電力需要側に設置された制御空間の快適性を向上する機器である。電力消費機器１２＿ｉには、空気調和機、換気扇、ヒータ、加湿器及び除湿器を例示することができるが、これらに限定されるものではない。
【００１５】
環境検出器１３＿ｉは、電力需要側に設置された制御空間の環境情報を取得する機器である。環境検出器１３＿ｉには、温度センサ、湿度センサ及び人感センサを例示することができるが、これらに限定されるものではない。
【００１６】
なお、電力消費機器１２＿ｉに環境検出器が搭載されていてもよい。
【００１７】
次に、図１に示す電力制御システムの動作について説明する。まず、ＤＲサーバ１０は、通信ネットワークを介して、電力制御装置１１に対してＤＲを送信する。ＤＲには、目標削減量を示した消費電力の削減要求、目標削減割合を示した消費電力の削減要求及び単位時間あたりの上限消費量を示した消費電力の削減要求を例示することができる。ここで、消費電力の値は、電力制御装置１１に接続された電力消費機器１２＿ｉで消費されている電力の合計値である。
【００１８】
なお、ＤＲが目標削減割合を示した消費電力の削減要求である場合には、現在の消費電力に目標削減割合を乗算することで目標削減量を得ることができる。また、ＤＲが単位時間あたりの上限消費量を示した消費電力の削減要求である場合には、現在の消費電力から上限消費量を減算することで目標削減量を得ることができる。なお、電力制御装置１１が、目標削減量を計算可能な構成を備えていてもよい。
【００１９】
ＤＲを受信した通信部１１１は、目標削減量の情報を処理部１１４に送信する。一方で、情報取得部１１２は、制御空間の室温及び湿度に代表される環境情報を環境検出器１３＿ｉから取得して制御ＤＢ１１３に送信し、電力消費機器１２＿ｉの消費電力情報を取得して処理部１１４に送信する。ここで、消費電力情報の取得には、電力消費機器１２＿ｉに接続した電力計測器を用いる。ただし、これに限定されず、図示しない分電盤に接続した電力計測器を用いてもよいし、電力消費機器全体の消費電力を取得してもよい。
【００２０】
制御ＤＢ１１３は、電力削減時における電力消費機器１２＿ｉの制御内容、制御空間情報及び優先度を記憶している。
【００２１】
ここで、制御ＤＢ１１３に記憶される制御内容は、消費電力を削減する制御である。電力消費機器１２＿ｉが空気調和機又はヒータである場合には、電源をオフする制御、設定温度を変更する制御及び風量を抑制する制御を例示することができる。ここで、消費電力を削減すべく設定温度を変更する制御は、冷房運転及びドライ運転時には設定温度を上昇させ、暖房運転時には設定温度を低下させる制御である。又は、電力消費機器１２＿ｉが加湿器及び除湿機である場合には、電源をオフする制御及び設定湿度を変更する制御を例示することができる。ここで、設定湿度を変更する制御は、加湿時には設定湿度を低下させ、除湿時には設定湿度を上昇させる制御であり、又は、電力消費機器１２＿ｉが換気扇である場合には、単位時間あたりの回転回数を低下させる制御である。
【００２２】
また、制御ＤＢ１１３に記憶される制御空間情報は、電力消費機器１２＿ｉが属する空間の情報であって、名称、室温、設定温度、湿度及び設定湿度の情報を含む。制御空間情報に含まれる名称には、リビング、ダイニング及び寝室を例示することができる。制御空間情報に含まれる室温及び設定温度はセルシウス温度［℃］によって表され、制御空間情報に含まれる湿度及び設定湿度は相対湿度［ＲＨ％］によって表される。
【００２３】
また、制御ＤＢ１１３に記憶される優先度は、各制御内容の優先順位を示し、電力削減の実行時には、優先度が小さいものから電力削減動作の制御が行われる。この優先度は、電力需要側で設定されており、制御空間の快適性を保つように制御空間情報に基づいて決定され、処理部１１４によって再設定される。このときの優先度は、全て異なる数字としてもよいし、同一の数字が用いられてもよい。優先度を全て異なる数字とした場合には、数字が小さい、優先度が小さいほうの制御内容から１つずつ実行していくが、優先度の一部を同一の数字とした場合には同じ優先度の制御内容は同時に実行される。
【００２４】
処理部１１４は、電力消費機器１２＿ｉの削減電力量の監視を行う。すなわち、処理部１１４は、通信部１１１からＤＲを受信すると制御ＤＢ１１３の情報を参照し、最も優先度の小さい制御内容を選択し、制御部１１５に送信する。そして、処理部１１４は、通信部１１１から受信したＤＲの目標削減量と、情報取得部１１２から受信した現在の消費電力から計算した削減電力量とを比較して、削減電力量が目標削減量に到達していない場合には、次に優先度の小さい制御内容を選択して制御部１１５に送信する。削減電力量が目標削減量に到達すると、それ以降の優先度の制御内容は実行せず、処理を終了する。
【００２５】
また、処理部１１４は、電力消費機器１２＿ｉが属する空間の状況に応じて優先度を再設定する。室温と設定温度との差が小さい空間では、消費電力を削減する制御を実行しても快適性は維持されるが、室温と設定温度との差が大きい空間では、消費電力を削減する制御を実行すると、快適性が損なわれる。すなわち、室温と設定温度とを参照して優先度を再設定すると、快適性を損なうことなく消費電力を削減することができる。また、湿度に関しても同様に、湿度と設定湿度とを参照して優先度を再設定すると、快適性を損なうことなく消費電力を削減することができる。
【００２６】
制御部１１５は、処理部１１４から送信された電力削減のために行う制御内容に従って、電力消費機器１２＿ｉの制御を実行する。
【００２７】
表示操作部１１６は、制御ＤＢ１１３の情報を画面に表示し、電力需要側における操作により電力消費機器１２＿ｉの制御内容の設定及び優先度の設定が可能である。
【００２８】
次に、本実施の形態の具体例について説明する。図２は、実施の形態１における電力制御システムが適用された空間を示す図である。図２には、制御空間２０１，２０２，２０３，２０４と、電力消費機器１２＿ｉに相当する空気調和機２１１、ヒータ２１２、空気調和機２１３、加湿器２１４、除湿器２１５、空気調和機２１６及び除湿器２１７と、環境検出器１３＿ｉに相当する温度センサ２２１，２２２，２２３及び湿度センサ２３１，２３２，２３３とが示されている。なお、制御空間２０１は子供部屋であり、制御空間２０２は寝室であり、制御空間２０３はキッチンであり、制御空間２０４はリビングである。
【００２９】
まず、ＤＲサーバ１０が、電力制御装置１１に対して、目標削減量１０００ＷのＤＲを送信する。このＤＲを受信した通信部１１１は、ＤＲを処理部１１４へ送信する。ＤＲを受信した処理部１１４は、通信部１１１からＤＲを受信すると、制御ＤＢ１１３の情報を参照する。
【００３０】
図３は、実施の形態１における制御ＤＢ１１３の情報の一例である第１のテーブル３００を示す図である。図３に示す第１のテーブル３００において、制御空間の室温及び湿度は、情報取得部１１２が制御空間２０１，２０２，２０３，２０４内の温度センサ２２１，２２２，２２３及び湿度センサ２３１，２３２，２３３から取得した情報である。図３に示す第１のテーブル３００において、制御空間の名称、設定温度、設定湿度、制御内容及び優先度は、電力需要側において表示操作部１１６を介して入力された情報である。
【００３１】
また、処理部１１４は、電力消費機器１２＿ｉが属する各空間の状況に応じて優先度を再設定する。優先度の再設定は、各制御内容の緊急度が計算され、緊急度の数値が小さいものほど優先度の数値が小さくなる。この緊急度Ｕは、Ｕ＝α×（電力需要側で設定された優先度）／（電力需要側で設定された優先度の数）＋（１−α）×（温度又は湿度の重要度）／（温度又は湿度の段数）により計算される。ここで、（電力需要側で設定された優先度）／（電力需要側で設定された優先度の数）は、電力需要側で設定された優先度を正規化した値である。また、（温度又は湿度の重要度）／（温度又は湿度の段数）は、処理部１１４が算出した重要度を正規化した値である。また、重み付け係数αは、電力需要側で設定され、０以上１．０以下である。再設定された優先度は、α＝１では、電力需要側によって設定された値が最優先となり、α＝０では、処理部１１４によって算出された重要度が最優先となる。
【００３２】
温度又は湿度の重要度は、室温と設定温度との差又は湿度と設定湿度との差により決定される。図４は、実施の形態１における制御ＤＢ１１３の情報の一例である第２のテーブル４００及び第３のテーブル４１０を示す図である。図４に示す第２のテーブル４００では重要度が４段階とされ、室温と設定温度との差が大きいほど重要度が高い。同様に、図４に示す第３のテーブル４１０では重要度が４段階とされ、湿度と設定湿度との差が大きいほど重要度が高い。ここで、第２のテーブル４００における室温と設定温度との差及び第３のテーブル４１０における湿度と設定湿度との差のしきい値は、適宜設定可能な値である。また、重要度の段数も適宜設定可能である。
【００３３】
図３及び図４に示す例では、電力需要側で設定された優先度は１から７であり、重要度は１から４であるので、重み付け係数α＝０．５とすると、空気調和機２１１の緊急度Ｕは、電力需要側で設定された優先度「１」、電力需要側が設定された優先度の数「７」、温度又は湿度の重要度「１」及び温度又は湿度の段数「４」を用いてＵ＝０．１９６である。このようにして、制御空間内のすべての電力消費機器１２＿ｉの緊急度Ｕを計算する。
【００３４】
図５は、実施の形態１における制御ＤＢ１１３の情報の一例である第４のテーブル５００を示す図である。上記のように計算すると、第４のテーブル５００に示すように、空気調和機２１１の緊急度Ｕ＝０．１９６、ヒータ２１２の緊急度Ｕ＝０．３９３、空気調和機２１３の緊急度Ｕ＝０．９２９、加湿器２１４の緊急度Ｕ＝０．６０７、除湿器２１５の緊急度Ｕ＝０．３３９、空気調和機２１６の緊急度Ｕ＝０．７５０、除湿器２１７の緊急度Ｕ＝０．７８６である。
【００３５】
なお、緊急度Ｕから優先度を再設定する場合は、もとの優先度の範囲となるように処理する。図５に示すように、第４のテーブル５００における優先度の数は、もとの優先度の数「７」である。そして、緊急度Ｕが小さいものほど優先度の数値が小さくなるように優先度の再設定がされている。なお、優先度の再設定は、ＤＲの受信時に限定されるものではなく、定期的に、一例として１時間ごとに実行してもよい。
【００３６】
上記のように、緊急度Ｕから優先度の再設定を行った後、処理部１１４は、再設定した優先度に従って、最も優先度の数値が小さい制御内容を選択して制御部１１５に送信する。ここでは、処理部１１４は、空気調和機２１１をオフする制御を制御部１１５に送信する。
【００３７】
制御部１１５は、処理部１１４から送信された制御内容に従って、電力消費機器１２＿ｉを制御する。ここでは、制御部１１５は、空気調和機２１１をオフする。
【００３８】
処理部１１４は、通信部１１１から受信したＤＲの目標削減量と、情報取得部１１２から受信した現在の消費電力から計算した削減電力量とを比較して、目標削減量に到達していない場合には、次に優先度の数値が小さい制御内容を選択して制御部１１５に送信する。一例として、目標削減量が１０００Ｗであり、現在の消費電力から計算した削減電力量が５００Ｗであるとすると、削減電力量が目標削減量に到達していない。そこで、処理部１１４は、次に優先度の数値が小さい「除湿器２１５の設定湿度を１０％ＲＨ変更」との制御内容を選択して制御部１１５に送信する。そして、制御部１１５は、除湿器２１５の設定湿度を１０％ＲＨに変更する。削減電力量が目標削減量に到達した場合にはそれ以降の優先度の制御内容は実行せず、処理を終了する。
【００３９】
優先度の再設定を定期的に行う場合には、制御部１１５は、再設定された優先度に基づいて優先度の数値が小さい制御内容を実行し、削減電力量が目標削減量に到達するまで電力削減を繰り返す。削減電力量が目標削減量に到達した場合にはそれ以降の優先度の制御内容は実行せず、処理を終了する。
【００４０】
本実施の形態にて説明したように、ＤＲサーバからの電力削減要求であるＤＲを受信した電力制御装置が、室温と設定温度との差又は湿度と設定湿度との差から優先度を再設定し、優先度の数値が小さい電力消費機器から制御内容を実行し、目標削減量に到達すると、それ以降の優先度の制御内容は実行せず、電力消費機器の電力削減を終了することで、電力消費機器が稼働している制御空間の快適性を損なうことなく、電力削減要求を満たすように消費電力を削減することができる。
【００４１】
実施の形態２．
本実施の形態では、実施の形態１に加えて、制御空間内の人の存在を検知して優先度を再設定する形態について説明する。本実施の形態における電力制御システムの構成は図１と同様であるが、環境検出器１３＿ｉには人感センサが含まれる。また、本実施の形態においても、ＤＲサーバ１０からＤＲを受信した電力制御装置１１が緊急度Ｕを計算し、緊急度Ｕの数値の大小から優先度を再設定し、優先度の数値の小さい電力消費機器１２＿ｉから制御内容を実行する。そして、本実施の形態では、制御ＤＢに制御空間内の人の存在情報を記憶し、処理部１１４が制御空間の室温と設定温度との差又は湿度と設定湿度との差に加えて、人の存在を検知して緊急度Ｕを計算する。
【００４２】
次に、本実施の形態の具体例について説明する。図６は、実施の形態２における電力制御システムが適用された空間を示す図である。図６に示す構成は、図２に示す構成に、環境検出器１３＿ｉに相当する人感センサ２４１，２４２，２４３，２４４が追加された構成である。
【００４３】
図７は、実施の形態２における制御ＤＢ１１３の情報の一例である第５のテーブル６００を示す図である。図７に示す第５のテーブル６００において、制御空間の室温及び湿度は、情報取得部１１２が制御空間２０１，２０２，２０３，２０４内の温度センサ２２１，２２２，２２３及び湿度センサ２３１，２３２，２３３から取得した情報であり、制御空間の人感は、人感センサ２４１，２４２，２４３，２４４から取得した情報である。
【００４４】
処理部１１４は、通信部１１１からＤＲを受信すると、制御ＤＢ１１３の情報を参照する。ここでは、テーブル６００を参照する。そして、処理部１１４は、すべての制御内容の緊急度Ｕを計算し、緊急度Ｕの数値の大小を比較し、優先度を再設定する。優先度の再設定は、各制御内容の緊急度が計算され、緊急度の数値が小さいものほど優先度の数値が小さくなる。この緊急度Ｕは、Ｕ＝β×｛α×（電力需要側が設定した優先度）／（電力需要側が設定した優先度の数）＋（１−α）×（温度もしくは湿度の重要度）／（温度もしくは湿度の段数）｝＋（１−β）×（制御空間内の人の有無）により計算される。ここで、第一項は実施の形態１と同じである。第二項については、制御空間内に人が存在する場合には（制御空間内の人の有無）＝１であり、存在しない場合には（制御空間内の人の有無）＝０である。また、重み付け係数βは、電力需要側で設定され、０以上１．０以下である。再設定された優先度は、β＝１では、電力需要側によって設定された値が最優先となり、β＝０では、処理部１１４によって算出された重要度が最優先となる。このように再設定された優先度は、β＝１とすると、制御空間内の人の存在情報を優先度に反映しないことになり、β＝０とすると、制御空間内の人の存在情報により優先度が決定されることになる。
【００４５】
ここで、実施の形態１の図４に示すテーブル４００，４１０と、図７に示すテーブル６００とを用いて緊急度Ｕを計算する。電力需要側にて設定された優先度の数「７」、温度及び湿度の段数「４」、α＝０．５、β＝０．３を用いて計算すると、空気調和機２１１では緊急度Ｕ＝０．３×｛０．５×１／７＋０．５×１／４｝＋０．７×１＝０．７５９となる。
【００４６】
図８は、実施の形態２における制御ＤＢ１１３の情報の一例である第６のテーブル７００を示す図である。上記のように計算すると、第６のテーブル７００に示すように、空気調和機２１１の緊急度Ｕ＝０．７５９、ヒータ２１２の緊急度Ｕ＝０．８１８、空気調和機２１３の緊急度Ｕ＝０．２７９、加湿器２１４の緊急度Ｕ＝０．１８２、除湿器２１５の緊急度Ｕ＝０．１０１、空気調和機２１６の緊急度Ｕ＝０．９２５、除湿器２１７の緊急度Ｕ＝０．９３６である。
【００４７】
上記のように、緊急度Ｕから優先度の再設定を行った後、処理部１１４は、再設定した優先度に従って、最も優先度の数値の小さい制御内容を選択して制御部１１５に送信する。ここでは、処理部１１４は、除湿器２１５の「設定湿度を１０％ＲＨ変更」を制御部１１５に送信する。
【００４８】
制御部１１５は、処理部１１４から送信された制御内容に従って、電力消費機器１２＿ｉを制御する。ここでは、制御部１１５は、除湿器２１５の設定湿度を１０％ＲＨに変更する。削減電力量が目標削減量に到達した場合にはそれ以降の優先度の制御内容は実行せず、処理を終了する。
【００４９】
本実施の形態にて説明したように、ＤＲサーバからの電力削減要求であるＤＲを受信した電力制御装置が、室温と設定温度との差又は湿度と設定湿度との差及び人の存在の有無から優先度を再設定し、優先度の数値の小さい電力消費機器から制御内容を実行し、目標削減量に到達すると、それ以降の優先度の制御内容は実行せず、電力消費機器の電力削減を終了することで、人が不在の空間の優先度の数値が小さくなるため、人が存在する制御空間の快適性を損なうことなく、電力削減要求を満たすように消費電力を削減することができる。
【００５０】
実施の形態３．
本実施の形態では、実施の形態１，２に加えて、各電力消費機器の制御内容を複数記憶する形態について説明する。本実施の形態において電力制御システムの構成は図１と同様である。また、本実施の形態においても、ＤＲサーバ１０からＤＲを受信した電力制御装置１１が緊急度Ｕを計算し、緊急度Ｕの数値の大小から優先度を再設定し、優先度の数値の小さい電力消費機器１２＿ｉから制御内容を実行する。そして、本実施の形態では、制御ＤＢに各電力消費機器の制御内容を複数記憶し、各電力消費機器に対して細かな制御を実現する。このとき、各電力消費機器に設定する制御内容の数は同数である必要はなく、また制御内容の数に上限はない。
【００５１】
次に、本実施の形態の具体例について説明する。本実施の形態では、図６に示す電力制御システムが適用される。
【００５２】
図９は、実施の形態３における制御ＤＢ１１３の情報の一例である第７のテーブル８００を示す図である。図９に示す第７のテーブル８００において、制御空間の室温及び湿度は、情報取得部１１２が制御空間２０１，２０２，２０３，２０４内の温度センサ２２１，２２２，２２３及び湿度センサ２３１，２３２，２３３から取得した情報であり、制御空間の人感は、人感センサ２４１，２４２，２４３，２４４から取得した情報である。
【００５３】
処理部１１４は、通信部１１１からＤＲを受信すると、制御ＤＢ１１３の情報を参照する。ここでは、テーブル８００を参照する。テーブル８００に示すように、同一の電力消費機器に複数の制御内容を設定する場合には、電力需要側では電力削減量の小さい制御内容の優先度の数値を小さくする。すなわち、空気調和機２１３の制御内容として、「設定温度を２℃変更」、「設定温度を５℃変更」及び「電源ＯＦＦ」が設定されているが、このうち「設定温度を２℃変更」の電力削減量が最も小さく、「電源ＯＦＦ」の電力削減量が最も大きい。そこで、空気調和機２１３の制御内容については、「設定温度を２℃変更」の優先度の数値を最も小さくし、「電源ＯＦＦ」の優先度の数値を最も大きくする。
【００５４】
そして、処理部１１４は、すべての制御内容の緊急度Ｕを計算し、緊急度Ｕの数値の大小を比較して、優先度を再設定する。優先度の再設定は、各制御内容の緊急度が計算され、緊急度の数値が小さいものほど優先度の数値を小さくする。この緊急度Ｕは、実施の形態１，２にて説明したように計算すればよい。
【００５５】
ここで、実施の形態１の図４に示すテーブル４００，４１０と、図９に示すテーブル８００とを用いて緊急度Ｕを計算する。電力需要側にて設定された優先度の数「１５」、温度及び湿度の段数「４」、α＝０．５を用いて実施の形態１と同様に計算する。
【００５６】
図１０は、実施の形態３における制御ＤＢ１１３の情報の一例である第８のテーブル９００を示す図である。上記のように計算すると、第８のテーブル９００に示すように、各制御機器について、制御内容ごとの優先度が計算される。
【００５７】
上記のように、緊急度Ｕから優先度の再設定を行った後、処理部１１４は、再設定した優先度に従って、最も優先度の数値の小さい制御内容を選択して制御部１１５に送信する。ここでは、処理部１１４は、空気調和機２１１の「設定温度を３℃変更」を制御部１１５に送信する。
【００５８】
制御部１１５は、処理部１１４から送信された制御内容に従って、電力消費機器１２＿ｉを制御する。ここでは、制御部１１５は、空気調和機２１１の設定温度を３℃変更する。削減電力量が目標削減量に到達した場合には以降の優先度の制御内容は実行せず、処理を終了する。
【００５９】
本実施の形態にて説明したように、ＤＲサーバからの電力削減要求であるＤＲを受信した電力制御装置が、制御空間情報から優先度を再設定し、優先度の低い電力消費機器から制御内容を実行し、目標削減量に到達すると、以降の優先度の制御内容は実行せず、電力消費機器の電力削減を終了し、各電力消費機器に対して複数の制御内容を設定することで、電力消費機器が稼働している制御空間の快適性を損なうことなく、電力削減要求を満たすように細かな制御を行って消費電力を削減することができる。
【００６０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６１】
１０  ＤＲサーバ、１１  電力制御装置、１２＿ｉ  電力消費機器、１３＿ｉ  環境検出器、１１１  通信部、１１２  情報取得部、１１３  制御ＤＢ、１１４  処理部、１１５  制御部、１１６  表示操作部、２０１，２０２，２０３，２０４  制御空間、２１１，２１３，２１６  空気調和機、２１２  ヒータ、２１４  加湿器、２１５，２１７  除湿器、２２１，２２２，２２３  温度センサ、２３１，２３２，２３３  湿度センサ、３００，４００，４１０，５００，６００，７００，８００，９００  テーブル。
【図１】
2017149639.tif 000003
【図２】
2017149639.tif 000004
【図３】
2017149639.tif 000005
【図４】
2017149639.tif 000006
【図５】
2017149639.tif 000007
【図６】
2017149639.tif 000008
【図７】
2017149639.tif 000009
【図８】
2017149639.tif 000010
【図９】
2017149639.tif 000011
【図１０】
2017149639.tif 000012
【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
環境検出器が設置された制御空間の快適性を向上する電力消費機器を制御する電力制御装置であって、
電力削減要求を受信する通信部と、
前記環境検出器により取得された環境情報及び電力消費機器の消費電力を取得する情報取得部と、
前記電力消費機器の各々の制御内容、前記電力消費機器の各々が属する前記制御空間の環境情報及び前記電力消費機器の各々の制御内容の優先度を記憶する制御データベースと、
前記電力消費機器の削減電力量の監視及び前記優先度の再設定を行って電力削減のために行う制御内容を選択する処理部と、
前記処理部が選択した制御内容に従って、前記通信部が受信した電力削減要求に基づき前記電力消費機器を制御する制御部とを備え、
前記電力削減要求に応じて前記優先度を再設定し、優先度の低い前記電力消費機器から順に電力削減を行っていくことを特徴とする電力制御装置。
【請求項２】
前記優先度は、前記制御空間の室温と設定温度との差を用いて再設定されることを特徴とする請求項１に記載の電力制御装置。
【請求項３】
前記優先度は、前記制御空間の湿度と設定湿度との差を用いて再設定されることを特徴とする請求項１又は請求項２に記載の電力制御装置。
【請求項４】
前記優先度は、前記制御空間の人の存在の有無を用いて再設定されることを特徴とする請求項１から請求項３のいずれか一項に記載の電力制御装置。
【請求項５】
前記制御内容は、前記電力消費機器の消費電力を削減する制御であり、前記電力消費機器の各々に複数設定されることを特徴とする請求項１から請求項４のいずれか一項に記載の電力制御装置。
【請求項６】
前記制御部は、
再設定された前記優先度が最も低い制御内容から順に実行し、
前記電力削減要求の目標削減量に到達するまで前記電力消費機器の電力削減を順に繰り返し、前記目標削減量に到達すると、処理を終了することを特徴とする請求項１から請求項５のいずれか一項に記載の電力制御装置。
【請求項７】
前記電力削減要求は、電力供給側に設置されたサーバから送信されていることを特徴とする請求項１から請求項６のいずれか一項に記載の電力制御装置。
【手続補正２】
【補正対象書類名】明細書
【補正対象項目名】０００７
【補正方法】変更
【補正の内容】
【０００７】
上述した課題を解決し、目的を達成するために、本発明に係る電力制御装置は、環境検出器が設置された制御空間の快適性を向上する電力消費機器を制御する電力制御装置であって、電力削減要求を受信する通信部と、前記環境検出器により取得された環境情報及び電力消費機器の消費電力を取得する情報取得部と、前記電力消費機器の各々の制御内容、前記電力消費機器の各々が属する前記制御空間の環境情報及び前記電力消費機器の各々の制御内容の優先度を記憶する制御データベースと、前記電力消費機器の削減電力量の監視及び前記優先度の再設定を行って電力削減のために行う制御内容を選択する処理部と、前記処理部が選択した制御内容に従って、前記通信部が受信した電力削減要求に基づき前記電力消費機器を制御する制御部とを備え、前記電力削減要求に応じて前記優先度を再設定し、優先度の低い前記電力消費機器から順に電力削減を行っていくことを特徴とする。
【国際調査報告】
2017149639.tif 000013
2017149639.tif 000014
2017149639.tif 000015
2017149639.tif 000016